(57)【要約】      （修正有）【課題】火災判断に匂い要素を組み合わせることで、高い精度で火災を判定可能とする火災監視システムを提供する。【解決手段】火災監視システムにおいて、監視区画には火災感知器１４と匂い検知器１８が設置され、受信機１０からの信号回線１２−１，１２−２に接続される。匂い検知器１８は、複数の匂い物質の吸着に応じて複数種類の匂い検知値を出力して受信機１０に送信する。匂い判定部４０は、匂いの種別として、物の焦げる匂い、タバコの匂い及び調理の匂いを判定する。火災判定部４２は、火災感知器１４による火災発報と匂い判定部４０で判定した匂いの種別に基づき、例えば火災発報と焦げる匂いを判定したときに火災を判定し、また、火災発報判定しても焦げる匂いを判定しないときは非火災を判定する。【選択図】図１
2020161072.tif 000002
【特許請求の範囲】
【請求項１】
監視空間の煙濃度又は温度が所定値以上又は前記所定値を超えた場合に火災発報する火災感知手段と、
前記監視空間の匂いを検知する匂い検知手段と、
前記匂い検知手段の匂い検知値を入力して匂いの種別を判定する匂い判定手段と、
前記火災感知手段による前記火災発報の有無と前記匂い判定手段から出力された前記匂いの種別に基づいて火災を判定する火災判定手段と、
が設けられたことを特徴とする火災監視システム。
【請求項２】
請求項１記載の火災監視システムに於いて、
前記匂い検知手段は、複数の匂い物質の吸着に応じて複数種類の匂い検知値を出力し、
前記匂い判定手段は、多層式ニューラルネットワークによって構成され、入力情報である前記匂い検知手段の前記複数種類の匂い検知値と、出力期待値である所定の匂い種別の組み合わせを学習情報として入力してディープラーニングにより学習し、前記匂い検知手段の前記複数種類の匂い検知値を入力情報として入力した場合に前記匂い種別を推定して出力することを特徴とする火災監視システム。
【請求項３】
請求項２記載の火災監視システムに於いて、
前記匂い判定手段の前記多層式ニューラルネットワークは、
前記匂い種別として、物の焦げる匂い、タバコの匂い、及び調理の匂いを学習し、
前記匂い検知手段の前記複数種類の匂い検知値を入力した場合に、物の焦げる匂い、タバコの匂い及び調理の匂いを推定して出力することを特徴とする火災監視システム。
【請求項４】
請求項３記載の火災監視システムに於いて、
前記火災判定手段は、前記火災感知手段による前記火災発報の有無と、前記匂い判定手段から出力された前記物の焦げる匂い、前記タバコの匂い及び前記調理の匂いの有無に基づいて火災を判定することを特徴とする火災監視システム。
【請求項５】
請求項１記載の火災監視システムに於いて、
前記火災判定手段は、
前記火災発報ありを判定し、且つ、前記物の焦げる匂いを判定したとき、又は、前記物の焦げる匂い、前記タバコの匂い及び前記調理の匂いを判定したときに火災を判定し、
前記以外は非火災を判定する、
ことを特徴とする火災監視システム。
【請求項６】
請求項１記載の火災監視システムに於いて、
前記火災判定手段は、更に、
前記火災発報あり又は火災発報なしを判定し、且つ、前記タバコの匂い又は前記調理の匂いの少なくとも何れかを判定したときに火災注意を判定することを特徴とする火災監視システム。
【請求項７】
請求項１記載の火災監視システムに於いて、
前記匂い判定手段と前記火災判断手段は多層式のニューラルネットワークで構成され、
入力情報である前記火災検知手段の前記火災発報の有無と前記匂い検知手段の前記複数種類の匂い検知値と、出力期待値である火災又は非火災の組み合わせを学習情報として入力してディープラーニングにより学習し、前記火災検知手段の前記火災発報の有無及び前記匂い検知手段の前記複数種類の匂い検知値を入力情報として入力した場合に火災又は非火災を推定して出力することを特徴とする火災監視システム。
【請求項８】
請求項１記載の火災監視システムに於いて、
前記火災感知手段と前記匂い検知手段は、受信機から引き出された信号回線に接続され、
前記匂い判定手段は前記匂い検知手段又は前記受信機に設けられ、
前記火災判定手段は前記受信機に設けられたことを特徴とする火災監視システム。
【請求項９】
請求項８記載の火災監視システムに於いて、
前記火災感知手段は所定の感知器設置区画毎に設置され、前記匂い検知手段は、前記火災感知手段と同じ感知器設置区画に設置されたことを特徴とする火災報知システム。
【請求項１０】
請求項８記載の火災監視システムに於いて、
前記火災感知手段は所定の感知器設置区画毎に設置され、
前記匂い検知手段は前記感知器設置区画の一部に設置され、
前記受信機の前記匂い判定手段は、火災発報した区画に前記匂い検知手段が設置されていない場合、周辺の区画に設置された前記匂い検知手段を選択して匂いの種別を判定することを特徴とする火災報知システム。
【請求項１１】
請求項２又は７記載の火災監視システムに於いて、
前記多層式のニューラルネットワークは、結合ニューラルネットワークであり、
前記学習情報を入力した場合に出力される値と所定値の期待値との誤差に基づくバックプロパゲーションにより学習することを特徴とする火災監視システム。
【発明の詳細な説明】
【技術分野】
【０００１】
本発明は、火災感知器と匂い検知器の組み合わせにより火災を判断して警報させる火災監視システムに関する。
【背景技術】
【０００２】
従来、煙感知器や熱感知器など、火災に伴う煙や温度等の特定の物理量を監視するセンサを用いて、火災を検出する火災監視システムが実用化されている。
【０００３】
また、火災以外の喫煙や調理に伴う誤報（非火災報）を防止するため、煙感知器や熱感知器に加え、炎センサ、ＣＯセンサ、ＣＯ２センサ等を設け、これらのセンサによる検知値との組み合わせにより火災を判断し、火災判断をより確実なものにしている。
【先行技術文献】
【特許文献】
【０００４】
【特許文献１】ＷＯ２０１６−１３６４３４号公報
【特許文献２】ＷＯ２０１６−０３１０８０号公報
【特許文献３】ＷＯ２０１７／０８５９３９号公報
【発明の概要】
【発明が解決しようとする課題】
【０００５】
しかしながら、煙感知器又は熱感知器に、炎センサ、ＣＯセンサ、ＣＯ２センサ等を組み合わせた火災判断にあっては、何れも火災に伴う煙、熱、ガスといった特定の物理量を検知した火災の判断であり、人間が五感を通じて行う火災判断に比べると限界がある。
【０００６】
ところで、近年にあっては、人間の嗅覚のように、複雑な匂いの集合体から特定の匂いを検出、峻別することを可能とする匂いセンサが実用化されている（特許文献２，３）。このように人間の嗅覚に相当する匂いを検知して峻別できるセンサがあれば、火災判断に匂いといった従来に見られない判断要素を組み合わせることができ、火災を迅速且つ確実に判断し、調理やたばこの煙による誤報を確実に防止することができる。
【０００７】
本発明は、火災判断に匂い要素を組み合わせることで、高い精度で火災を判定可能とする火災監視システムを提供することを目的とする。
【課題を解決するための手段】
【０００８】
（火災監視システム）
本発明は、火災監視システムであって、
監視空間の煙濃度又は温度が所定値以上又は所定値を超えた場合に火災発報する火災感知手段と、
監視空間の匂いを検知する匂い検知手段と、
匂い検知手段の匂い検知値を入力して匂いの種別を判定する匂い判定手段と、
火災感知手段による火災発報の有無と匂い判定手段から出力された匂いの種別に基づいて火災を判定する火災判定手段と、
が設けられたことを特徴とする。
【０００９】
（多層式のニューラルネットワークによる匂い種別の判定）
匂い検知手段は、複数の匂い物質の吸着に応じて複数種類の匂い検知値を出力し、
匂い判定手段は、多層式のニューラルネットワークによって構成され、入力情報である匂い検知手段の複数種類の匂い検知値と出力期待値である所定の匂い種別の組み合わせを学習情報として入力してディープラーニングにより学習し、匂い検知手段の複数種類の匂い検知値を入力情報として入力した場合に匂い種別を推定して出力する。
【００１０】
（判定する匂いの種別）
匂い判定手段の多層式ニューラルネットワークは、
匂い種別として、物の焦げる匂い、タバコの匂い、及び、調理の匂いを学習し、
匂い検知手段の複数種類の匂い検知値を入力した場合に、物の焦げる匂い、タバコの匂い及び調理の匂いを推定して出力する。
【００１１】
（火災判定）
火災判定手段は、火災感知手段による火災発報の有無と、匂い判定手段から出力された物の焦げる匂い、タバコの匂い及び調理の匂いの有無に基づいて火災を判定する。
【００１２】
（火災と非火災の判定）
前記火災判定手段は、
火災発報ありを判定し、且つ、物の焦げる匂いを判定したとき、又は、物の焦げる匂い、タバコの匂い及び調理の匂いを判定したときに火災を判定し、
前記以外は非火災を判定する、
ことを特徴とする火災監視システム。
【００１３】
（火災注意の判定）
火災判定手段は、更に、
火災発報あり又は火災発報なしを判定し、且つ、タバコの匂い又は調理の匂いの少なくとも何れかを判定したときに火災注意を判定する。
【００１４】
（多層ニューラルネットワークによる匂い及び火災の判定）
匂い判定手段と火災判断手段は多層式のニューラルネットワークで構成され、
入力情報である火災検知手段の火災発報の有無と匂い検知手段の複数種類の匂い検知値、出力期待値である火災、火災注意又は非火災と所定の匂い種別の組み合わせを学習情報として入力してディープラーニングにより学習し、火災検知手段の火災発報の有無及び匂い検知手段の複数種類の匂い検知値を入力情報として入力した場合に火災、火災注意又は非火災を推定して出力する。
【００１５】
（匂い判定手段と火災判定手段の配置場所）
火災感知手段と匂い検知手段は、受信機から引き出された信号回線に接続され、
匂い判定手段は匂い検知手段又は受信機に設けられ、
火災判定手段は受信機に設けられる。
【００１６】
（火災感知手段と匂い検知手段を同じ区画に設置）
火災感知手段は所定の区画毎に設置され、匂い検知手段は、火災感知手段と同じ区画に設置される。
【００１７】
（匂い検知手段を一部の区画に設置）
火災感知手段は所定の区画毎に設置され、
匂い検知手段は複数の区画の一部に設置され、
受信機の匂い判定手段は、火災発報した区画に匂い検知手段が設置されていない場合、周辺の区画に設置された匂い検知手段を選択して匂いの種別を判定する。
【００１８】
（多層式のニューラルネットワークの構成と学習）
多層式のニューラルネットワークは、結合ニューラルネットワークであり、
学習情報を入力した場合に出力される値と所定の期待値との誤差に基づくバックプロパゲーションにより学習する。
【発明の効果】
【００１９】
（基本的な効果）
本発明は、火災監視システムであって、監視空間の煙濃度又は温度が所定値以上又は所定値を超えた場合に火災発報する火災感知手段と、監視空間の匂いを検知する匂い検知手段と、匂い検知手段の匂い検知値を入力して匂いの種別を判定する匂い判定手段と、火災感知手段による火災発報の有無と匂い判定手段から出力された匂いの種別に基づいて火災を判定する火災判定手段とが設けられたため、火災検知手段として機能する煙感知器や熱感知器が火災を感知した場合、これに加えて火災に伴う特有の匂いを判定することで、タバコや調理等の非火災要因に起因した誤った火災判断を防止し、高い精度で火災を判断することができる。
【００２０】
（多層式のニューラルネットワークによる匂い種別の判定の効果）
また、匂い検知手段は、複数の匂い物質の吸着に応じて複数種類の匂い検知値を出力し、匂い判定手段は、多層式のニューラルネットワークによって構成され、入力情報である匂い検知手段の複数種類の匂い検知値と出力期待値である所定の匂い種別の組み合わせを学習情報として入力してディープラーニングにより学習し、匂い検知手段の複数種類の匂い検知値を入力情報として入力した場合に匂い種別を推定して出力するようにしたため、人間の嗅覚のように、複雑な匂いの集合体から特定の匂いを検出、峻別して火災判断に利用することができる。
【００２１】
（判定する匂いの種別の効果）
また、匂い判定手段の多層式ニューラルネットワークは、匂い種別として、物の焦げる匂い、タバコの匂い、及び調理の匂いを学習し、匂い検知手段の複数種類の匂い検知値を入力した場合に、物の焦げる匂い、タバコの匂い、及び調理の匂いを推定して出力するようにしたため、火災判断に必要な物の焦げる匂い、タバコの匂い、及び調理の匂いを判定し、精度の高い火災判断ができる。
【００２２】
（火災判定の効果）
また、火災判定手段は、火災感知手段による火災発報の有無と、匂い判定手段から出力された物の焦げる匂い、タバコの匂い、及び、調理の匂いの有無に基づいて火災を判定し、例えば、火災判定手段は、
（１）  火災発報ありを判定し、且つ、物の焦げる匂いを判定したとき、又は、火災発報ありを判定し、且つ、物の焦げる匂い、タバコの匂い及び調理を判定したときに火災を判定し、
（２）  火災発報あり又は火災発報なしを判定し、且つ、タバコの匂い又は調理の匂いの少なくとも何れかを判定したときに火災注意を判定し、
（３）  （１）（２）以外は非火災を判定する、
ようにしたため、例えば、煙が感知され、物の焦げる匂いが判定されたときは間違いなく火災であり、また、煙が感知され、物の焦げる匂いも判定され、更に、タバコや調理の匂いも判定された場合も間違いなく火災であり、このため、タバコや調理の煙が存在しても確実に火災を判断できる。
【００２３】
また、煙が感知され、物の焦げる匂いとタバコ又は調理の匂いが判定されたときは、例えば灰皿でくすぶっている状況が想定されることから、火災注意と判断して注意警報を出力させる。
【００２４】
また、煙が感知されなくとも、物の焦げる匂いに加えてタバコ又は調理の匂いが判定された場合には、火災に繋がる可能性が高いことから、火災注意と判断して注意警報を出力させる。
【００２５】
さらに、煙が感知されるが、物の焦げる匂いは判定されず、タバコ又は調理の匂いが判定されたときには、通常の喫煙又は調理の状態であり、煙が感知されても非火災と判断することで、タバコや調理の煙による誤報（非火災報）を確実に防止できる。
【００２６】
（多層ニューラルネットワークによる匂い及び火災の判定の効果）
また、匂い判定手段と火災判断手段は多層式のニューラルネットワークで構成され、入力情報である火災検知手段の火災発報の有無と匂い検知手段の複数種類の匂い検知値、出力期待値である火災、火災注意又は非火災と所定の匂い種別の組み合わせを学習情報として入力してディープラーニングにより学習し、火災検知手段の火災発報の有無及び匂い検知手段の複数種類の匂い検知値を入力情報として入力した場合に火災、火災注意又は非火災を推定して出力するようにしたため、多層式のニューラルネットワークの学習により、匂い判定手段と火災判断手段の機能が実現され、火災に伴う煙又は熱に加え、火災に関連する所定の匂いを判定することで、高精度の火災判断ができる。
【００２７】
（匂い判定手段と火災判定手段の配置場所による効果）
また、火災感知手段と匂い検知手段は、受信機から引き出された信号回線に接続され、匂い判定手段は匂い検知手段又は受信機に設けられ、火災判定手段は受信機に設けられたため、火災検知手段として機能する煙感知器や熱感知器と共に匂い検知手段として機能する匂い検知器が警戒区域に設置され、受信機に匂い検知信号又は匂い判定信号を送信することで、煙又は熱の感知との組み合わせにより高精度の火災判断ができる。
【００２８】
また、匂い判定手段を匂い検知手段に設けた場合には、多層式のニューラルネットワークを備えた匂い種別の判定をエッジ側で行って受信機に送信することができ、受信機側の構成を簡単にすることができる。
【００２９】
（火災感知手段と匂い検知手段を同じ区画に設置する効果）
また、火災感知手段は所定の区画毎に設置され、匂い検知手段は、火災感知手段と同じ区画に設置されたため、同じ区画の煙又は熱に加え、匂いの種別を判定して高精度の火災判断ができる。
【００３０】
（匂い検知手段を一部の感知器設置区画に設置する効果）
また、火災感知手段は所定の区画毎に設置され、匂い検知手段は複数の区画の一部に設置され、受信機の匂い判定手段は、火災発報した区画に匂い検知手段が設置されていない場合、周辺の区画に設置された匂い検知手段を選択して匂いの種別を判定するようにしたため、匂い検知手段を全ての区画に設けなくとも、火災発報と匂い種別に基づく高精度の火災判断ができ、また、火災検知手段として機能する煙感知器や熱感知器の設置数に対し匂い検知手段として機能する匂い検知器の設置数を低減し、システムコストを抑えることができる。
【００３１】
（多層式のニューラルネットワークの構成と学習による効果）
また、多層式のニューラルネットワークは、結合ニューラルネットワークであり、学習情報を入力した場合に出力される値と所定の期待値との誤差に基づくバックプロパゲーションにより学習するようにしたため、例えば匂い種別の判定にあっては、匂い検知手段から出力される複数の匂い検知値を入力情報として入力した場合に、出力の期待値として物の焦げる匂い、タバコの匂い、又は調理の匂いといった匂い種別の推定値を与えてバックプロパゲーション処理により出力値と期待値の誤差を最小とするように多層式のニューラルネットワークにおけるウェイト（重み）とバイアスが学習され、入力情報からより高い精度で物の焦げる匂い、タバコの匂い、又は調理の匂いを判別して高精度の火災判断に利用できる。
【図面の簡単な説明】
【００３２】
【図１】火災監視システムの実施形態を示した説明図
【図２】図１の匂い検知器による１６チャンネルの匂い検知値をレーダーチャートで示した説明図
【図３】火災監視システムによる火災判断の機能構成を示した説明図
【図４】図３の匂い判定部の機能構成を示した説明図
【図５】図４に示した多層式ニューラルネットワークの機能構成を示した説明図
【図６】図３の火災判定部による火災判定処理を一覧で示した説明図
【図７】匂い判定部と火災判定部を多層式のニューラルネットワークで構成した火災監視システムの機能構成を示した説明図
【発明を実施するための形態】
【００３３】
［実施形態の基本的な概念］
図１は火災監視システムの実施形態を示した説明図である。本実施形態による火災監視システムの基本概念は、監視空間の煙濃度又は温度が所定値以上又は所定値を超えた場合に火災発報する火災感知手段である火災感知器１４に加え、監視空間の匂いを検知する匂い検知手段である匂い検知器１８を設け、匂い検知器１８の匂い検知値を例えば受信機１０に設けた匂い判別手段である匂い判定部４０に送信して匂いの種別、例えば、物の焦げる匂い、タバコの匂い、調理の匂いを判別し、火災判定手段である火災判定部４２により、火災感知器１４による火災発報の有無と匂い判定部４０による匂いの種別の判別結果に基づいて火災を判定するというものであり、火災感知器１４が火災を感知して火災発報した場合に、これに加えて火災に伴う特有の匂い、例えば物の焦げる匂いを判定することで、タバコや調理等の非火災要因に起因した誤った火災判断を防止し、高い精度で火災を判断することができる。
【００３４】
また、匂い検知器１８は、複数の匂い物質の吸着に応じて複数種類の匂い検知値を出力し、匂い判定部４０は、多層式のニューラルネットワークによって構成され、入力情報である匂い検知器１８の複数種類の匂い検知値と出力期待値である所定の匂い種別（物の焦げる匂い、タバコの匂い、調理の匂い）の組み合わせを学習情報として入力してディープラーニングにより学習することで、匂い検知器１８の複数種類の匂い検知値を入力情報として入力した場合に、匂い種別を推定して出力することができ、人間の嗅覚のように、複雑な匂いの集合体から特定の匂いを検出、峻別して火災判断に利用することができる。
【００３５】
［火災報知設備の概要］
図１に示すように、本実施形態はＲ型の火災監視システムを例にとっており、建物の一階の管理人室などには例えば受信機１０が設置され、受信機１０から警戒区域に対し系統毎に分けて信号回線１２−１〜１２−３が引き出されている。ここで、信号回線１２−１，１２−２は火災監視系統となり、信号回線１２−３は端末制御系統となる。なお、信号回線１２−１〜１２−３は、区別する必要がないときは信号回線１２という場合がある。
【００３６】
信号回線１２−１，１２−２には固有のアドレスが設定された伝送機能を有する複数のアナログ式の火災感知器１４が接続されている。また、信号回線１２−１，１２−２には、アナログ式の火災感知器１４に加え、固有アドレスが設定されると共に伝送機能を備えた中継器１６を介して匂い検知器１８が接続されている。
【００３７】
信号回線１２−１にあっては、監視区画Ａ１１，Ａ１２毎に火災感知器１４と匂い検知器１８が設置されており、同じ監視区域の火災と臭いを監視している。これに対し信号回線１２−２にあっては、火災感知器１４は全ての監視区画Ａ２１〜ＡＡ２３に設置されるが、匂い検知器１８は例えば監視区画Ａ２２に示すように、一部の監視区画に設けられ、監視区画Ａ２２の匂い検知器１８により設置区画Ａ２２に加え、隣接した周辺の監視区画Ａ２１，Ａ２３の匂いも監視するようにし、匂い検知器１８の設置数を低減している。
【００３８】
なお、匂い検知器１８は、監視区画の利用状況に合わせて設置しても良い。例えば、喫煙室、調理室、貴重品や重要書類の収納区画などの非火災要因が存在する区画に火災感知器１４と共に匂い検知器１８を設置する。
【００３９】
また、信号回線１２−１，１２−２には、必要に応じて中継器から引き出された感知器回線にオンオフ式火災感知器を接続することが可能であり、更に、中継器を介してガス漏れ警報器や発信機を接続することもできる。
【００４０】
信号回線１２−３には、固有アドレスが設定されると共に伝送機能を備えた中継器１６を介して防火戸や防火ダンパーといった端末制御機器１５が接続される。
【００４１】
ここで、信号回線１２−１〜１２−３に接続される火災感知器１４、中継器１６等の端末機器に設定される最大アドレス数は例えば２５５としており、信号回線１２−１〜１２−３のそれぞれには最大２５５台の火災感知器１４を含む端末機器が接続できる。
【００４２】
［受信機の機能構成］
（受信機の概要）
受信機１０には、メインＣＰＵ２０と複数のサブＣＰＵ基板２２−１〜２２−３が設けられ、サブＣＰＵ基板２２−１〜２２−３にはサブＣＰＵ２４と伝送回路部２６が設けられている。
【００４３】
メインＣＰＵ２０とサブＣＰＵ２４は、シリアル転送バス２５で接続されており、相互にデータを送受信する。シリアル転送バス２５としては、例えばコントロールエリアネットワーク（ＣＡＮ）が使用され、フレーム（メッセージともいう）と呼ばれるパケット単位にデータを送受信する。
【００４４】
メインＣＰＵ２０には、液晶表示パネル等を用いたタッチパネル付きのディスプレイ２８、火災代表灯、ガス漏れ代表灯、障害代表灯等を備えた表示部３０、所定の操作スイッチが設けられた操作部３２、スピーカが設けられた音響警報部３４、及び移報部３６が接続されている。
【００４５】
（火災監視制御）
サブＣＰＵ基板２２−１，２２−２に設けられたサブＣＰＵ２４は、伝送回路部２６に指示して火災感知器１４及び匂い検知器１８を接続した中継器１６との間で所定の通信プロトコルに従って信号を送受信することで、火災監視制御を行っている。
【００４６】
伝送回路部２６から火災感知器１４及び匂い検知器１８を接続した中継器１６に対する下り信号は電圧モードで伝送している。この電圧モードの信号は、信号回線１２の線路電圧を例えば１８ボルトと３０ボルトの間で変化させる電圧パルスとして伝送される。
【００４７】
これに対し火災感知器１４及び匂い検知器１８を接続した中継器１６から伝送回路部２６に対する上り信号は電流モードで伝送される。この電流モードにあっては、信号回線１２に伝送データのビット１のタイミングで信号電流を流し、いわゆる電流パルス列として上り信号が受信機１０に伝送される。
【００４８】
サブＣＰＵ２４による火災監視制御は、通常の監視中にあっては、一定周期毎に、伝送回路部２６に指示して、一括ＡＤ変換コマンドを含むブロードキャストの一括ＡＤ変換信号を送信しており、この一括ＡＤ変換信号を受信した火災感知器１４は、煙濃度又は温度、匂い検知値をセンサデータとして検出して保持し、中継器１６は匂い検知器１８に指示して匂い検知値をセンサデータとして検出して保持させる。続いて、サブＣＰＵ２４は、端末アドレスを順次指定したポーリングコマンドを含む呼出信号を送信している。
【００４９】
火災感知器１４及び匂い検知器１８を接続した中継器１６は自己アドレスに一致するアドレスを持つ呼出信号を受信すると、そのとき保持しているセンサデータを含む応答信号を伝送回路部２６に送信する。
【００５０】
火災感知器１４は例えば煙濃度が所定の注意レベル以上又は注意レベルを超えると、受信機１０に対し火災割込み信号を送信する。
【００５１】
サブＣＰＵ２４は伝送回路部２６を介して火災感知器１４から火災割込み信号を受信すると、グループ検索信号を送信して火災を検出している火災感知器１４を含むグループを特定し、続いて、グループ内検索信号を送信して火災を検出している火災感知器１４のアドレスを特定し、火災割込みを行った火災感知器１４の煙濃度及び同じ監視区画又は周辺区画に設置した匂い検知器１８の匂い検知値を集中的に取集し、火災が検出された感知器アドレス、煙濃度及び匂い検知値を火災検出情報として、シリアル転送バス２５を介してメインＣＰＵ２０に送信する。
【００５２】
メインＣＰＵ２０には、プログラムの実行により実現される機能として監視制御部３８、匂い判定部４０、火災判定部４２が設けられる。メインＣＰＵ２０の監視制御部３８は、サブＣＰＵ２４から火災検出情報を受信すると、匂い判定部４０及び火災判定部４２と連携して火災を判断し、火災判断が確定するとディスプレイ装置２８に火災が検出された感知器アドレスに基づき火災発生場所を含む火災警報情報を表示させ、音響警報部３４のスピーカから火災発生を示す所定の主音響警報を出力させ、更に、移報部３６により火災移報信号を外部に出力して所定の連動制御等を行わせる。
【００５３】
［匂い検知器］
図２は匂い検知器による１６チャンネルの匂い検知値をレーダーチャートで示した説明図である。図１の信号回線１２−１，１２−２に中継器１６を介して接続された匂い検知器１８は、複数の匂い物質の吸着に応じて複数種類の匂い検知値ｘ１〜ｘｎを出力する。
【００５４】
匂い検知器１８は、例えば水晶基板上に、異なる匂い分子を選択して吸着させる感応膜を成膜した複数のガスセンサーを設けている。ガスセンサーの感応膜は、アンモニア、トルエン、アセトン、エタノールなど、それぞれの匂い分子に反応し、選択的にガス成分が吸着する材料を用いている。ガスセンサーは、匂い分子の吸着量に比例して、例えば水晶振動子の周波数が変化し、周波数の変化量に応じたレベルを持つ検出値ｘｉを出力する。本実施形態にあっては、例えば１６種類の匂い分子に反応して検知値ｘ１〜ｘ１６を出力する１６チャンネルの匂い検知器１８を使用している。
【００５５】
また、本実施形態にあっては、火災判断に利用する匂いの種別として、例えば、物の焦げる匂い、タバコの匂い、調理の匂いを判別しており、これら判別対象となる物の焦げる匂い、タバコの匂い、調理の匂いが匂い検知器１８に接触したときには、例えば、図２のレーダーチャートに示す固有の検知値ｘ１〜ｘ１６が出力される。
【００５６】
図２（Ａ）は物の焦げる匂いが接触したときの検知値ｘ１〜ｘ１６のレーダーチャートを示し、図２（Ｂ）はタバコの匂いが接触したときの検知値ｘ１〜ｘ１６のレーダーチャートを示し、図２（Ｃ）は調理の匂いが接触したときの検知値ｘ１〜ｘ１６のレーダーチャートを示している。なお、図２のレーダーチャートは一例であり、１６チャンネルのガスセンサの種類と配置により、様々なパターンとなる。
【００５７】
図２のレーダーチャートから明らかなように、多チャンネル構成（複数ガスセンサー構成）の匂い検知器１８の検知値ｘ１〜ｘ１６は、物の焦げる匂い、タバコの匂い、調理の匂いを、異なったパターンとして視覚的に捉えることができ、この視覚的なパターンの相違が、人間の嗅覚のように、複雑な匂いの集合体から特定の匂いを検出、峻別することを意味する。
【００５８】
ここで、物の焦げる匂いとは、火災による燃焼物の種類により異なる多種多様な匂いが含まれ、また、調理の匂いとは、調理している食物の匂いであり、料理の種類に応じた多種多様な匂いが含まれ、その結果、図２（Ａ）（Ｃ）に示す物の焦げる匂いや調理の匂いのパターンに限定されず、多種多様なパターンとなる。これに対し、タバコの匂いは、ニコチンを含む特徴的な匂いであり、図２（Ｂ）に示すタバコの匂いのパターンに類似したパターンとなる。
【００５９】
このような匂い検知器１８の検知値ｘ１〜ｘ１６から、物の焦げる匂い、タバコの匂い、調理の匂いといった匂いの種別を判別するため、本実施形態にあっては、匂い判定部４０に多層式のニューラルネットワークを設けている。
【００６０】
なお、匂い検知器１８は、本実施形態の１６チャンネル以外に、３２チャンネル、６４チャンネルといった更に高分解能の物を使用しても良い。
【００６１】
［火災判断の機能構成］
図３は火災監視システムによる火災判断の機能構成を示した説明図、図４は図３の匂い判定部の機能構成を示した説明図、図５は図４に示した多層式ニューラルネットワークの機能構成を示した説明図である。
【００６２】
図１に示した火災監視システムによる火災判断の機能は、図３のように、火災感知器１４、匂い検知器１８、匂い判定部４０及び火災判定部４２で構成される。
【００６３】
火災感知器１４は例えば煙感知器又は熱感知器であり、煙濃度又は温度が所定の火災閾値以上又は火災閾値を超えた場合に火災発報し、火災発報信号Ｓを火災判定部４２に出力する、と見做すことができる。
【００６４】
匂い検知器１８は、火災感知器１４と同じ監視空間の匂いを検知し、１６チャンネルの匂い検知器１８を例にとると、匂い検知値ｘ１〜ｘ１６を匂い判定部４０に出力する。
【００６５】
匂い判定部４０は匂い検知器１８からの匂い検知値ｘ１〜ｘ１６を入力して匂いの種別を判定するもので、本実施形態にあっては、物の焦げる匂い推定値ｙ１、タバコの匂い推定値ｙ２、調理の匂い推定値ｙ３を、匂いの種別として出力する。
【００６６】
匂い判定部４０は、多層式ニューラルネットワーク４６を備える。多層式ニューラルネットワーク４６を備えた匂い判定部４０は、図４に示すように、多層式ニューラルネットワーク４６、入力部５６、学習制御部５８及び学習情報保持部６０で構成され、これらの機能は、ニューラルネットワークの処理に対応したコンピュータ回路のＣＰＵによるプログラムの実行により実現される。
【００６７】
匂い検知器１８からの匂い検知値ｘ１〜ｘ１６は入力部５６を介して多層式ニューラルネットワーク４６に入力し、物の焦げる匂い推定値ｙ１、タバコの匂い推定値ｙ２及び調理の匂い推定値ｙ３を出力する。
【００６８】
学習制御部５８は、火災実験等により、物の焦げる匂い、タバコの匂い、調理の匂いを発生して検知された匂い検知器１８の複数組の匂い検知値ｘ１〜ｘ１６を学習情報として学習情報保持部６０に一時的に記憶保持させ、学習情報保持部６０に記憶した匂い検知値ｘ１〜ｘ１６と出力期待値である物の焦げる匂い、タバコの匂い、調理の匂いの組み合わせを教師ありの学習情報として入力部５６を介して多層式ニューラルネットワーク４６に入力し、例えばバックプロパゲーション法（誤差逆伝搬法）等の学習法により多層式ニューラルネットワーク４６のウエイト（重み）とバイアスを学習させる。
【００６９】
この教師ありの学習情報を用いて学習の済んだ多層式ニューラルネットワーク４６に、匂い検知器１８から任意の匂い検知値ｘ１〜ｘ１６を入力すると、物の焦げる匂い推定値ｙ１、タバコの匂い推定値ｙ２及び調理の匂い推定値ｙ３が出力される。
【００７０】
ここで、物の焦げる匂い推定値ｙ１、タバコの匂い推定値ｙ２及び調理の匂い推定値ｙ３は、理想的には次のようになる。
物の焦げる匂いの場合は（ｙ１，ｙ２，ｙ３）＝（１，０，０）
タバコの匂いの場合は  （ｙ１，ｙ２，ｙ３）＝（０，１，０）
調理の匂いの場合は    （ｙ１，ｙ２，ｙ３）＝（０，０，１）
実際に匂い検知器１８の匂い検知値ｘ１〜ｘ１６を多層式ニューラルネットワーク４６に入力した場合は、推定値ｙ１，ｙ２，ｙ３の総和は１で、それぞれ０〜１の間の値をとる。
【００７１】
（全結合ニューラルネットワーク）
図５に示すように、多層式ニューラルネットワーク４６は、全結合ニューラルネットワークであり、入力層６２、全結合６４、中間層６６と全結合６４の繰り返し、及び出力層６８で構成されている。
【００７２】
ここで、全結合ニューラルネットワークは、入力情報である匂い検知値ｘ１〜ｘ１６を物の焦げる匂い、タバコの匂い、調理の匂いの３クラスに分類する多クラス分類を行うことから、最後の出力層６８には、目的とする３クラスと同じ３ユニットを配置し、これらのユニットへの入力を、ソフトマックス関数を用いて、総和が１の出力ｙ１，ｙ２，ｙ３となるようにしており、各ユニットの出力ｙ１，ｙ２，ｙ３はそのクラスに属する確率を示すことになる。
【００７３】
（バックプロパゲーションによる学習）
図５に示した入力層６２、複数の中間層６６及び出力層６８で構成される多層式ニューラルネットワーク４６は、各層に複数のユニットを設けて他の層の複数のユニットと結合し、各ユニットには重みとバイアス値が設定され、複数の入力値と重みとのベクトル積を求めてバイアス値を加算して総和を求め、これを所定の活性化関数に通して次の層のユニットに出力するようにしており、最終層に到達するまで値が伝搬するフォワードプロパゲーションが行われる。
【００７４】
このようなニューラルネットワークのウエイトやバイアスを変更するには、バックプロパゲーションとして知られている学習アルゴリズムを使用する。バックプロパゲーションでは、入力値ｘと期待される出力値（期待値）ｙというデータセットをネットワークに与えた場合の教師ありの学習と、入力値ｘのみをネットワークに与えた場合の教師なしの学習があり、本実施形態は、教師ありの学習を行う。
【００７５】
教師ありの学習でバックプロパゲーションを行う場合は、ネットワークを通ってきたフォワードプロパゲーションの結果である推定値ｙ＊と期待値yの値を比較する誤差として、例えば、平均二乗誤差の関数を使用する。
【００７６】
バックプロパゲーションでは、推定値ｙ＊と期待値ｙの誤差の大きさを使い、ネットワークの後方から前方までウエイトとバイアスを補正しながら値を伝播させる。各ウエイトとバイアスについて補正した量は、誤差への寄与として扱われ、最急降下法で計算され、ウエイトとバイアスの値を変更することにより、誤差関数の値を最小化する。
【００７７】
ニューラルネットワークに対するバックプロパゲーションによる学習の手順は次にようになる。
（１）  入力値ｘをニューラルネットワークに入力して、フォワードプロパゲーションを行い推定値ｙ＊を求める。
（２）  推定値ｙ＊と期待値ｙに基づき誤差関数で誤差を計算する。
（３）  ウエイトとバイアスを更新しながら、ネットワークにて、バックプロパゲーションを行う。
【００７８】
この手順は、ニューラルネットワークのウエイトとバイアスの誤差が可能な限り最小になるまで、異なる入力値ｘと期待値ｙの組み合わせを使って繰り返し、誤差関数の値を最小化する。
【００７９】
図４に示す多層式ニューラルネットワーク４６の教師ありの学習制御では、
物の焦げる匂いの場合は（ｙ１，ｙ２，ｙ３）＝（１，０，０）
タバコの匂いの場合は  （ｙ１，ｙ２，ｙ３）＝（０，１，０）
調理の匂いの場合は    （ｙ１，ｙ２，ｙ３）＝（０，０，１）
を出力値（期待値）として使用し、前述したバックプロパゲーションを行う。
【００８０】
（匂い判定部の実装位置）
図３に示した多階層ニューラルネットワーク４６の学習は、受信機１０では行わず、別のコンピュータ装置で学習し、学習済みの多階層ニューラルネットワーク４６を受信機１０に匂い判定部４０として実装することになる。
【００８１】
また、学習済みの多層式ニューラルネットワーク４６を備えた匂い判定部４０は、警戒区域に設置している匂い検知器１８に実装し、多層式ニューラルネットワーク４６による匂い種別の判定をエッジ処理により行うようにしても良い。これにより受信機１０の処理負担を大幅に軽減することができる。
【００８２】
［火災判定部］
図３に示すように、火災判定部４２は、比較器４８，５０，５２と判断部５４で構成される。匂い判定部４０の多層式ニューラルネットワーク４６から出力される物の焦げる匂い推定値ｙ１、タバコの匂い推定値ｙ２及び調理の匂い推定値ｙ３は、総和が１でそれぞれ０〜１の間の値をとることから、比較器４８，５０，５２により、０，１の何れかを示すように２値化する。
【００８３】
比較器４８，５０，５２には基準電圧源４８ａ，５０ａ，５２ａによって基準値１／３が設定されており、推定値ｙ１，ｙ２，ｙ３は３ビット推定値（Ｙ１，Ｙ２，Ｙ３）に２値化され、物の焦げる匂い、タバコの匂い及び調理の匂いの有無を示すことになる。
【００８４】
判断部５４は２値化した値である火災発報信号Ｓ、焦げる匂い推定値Ｙ１、タバコの匂い推定値Ｙ２及び調理の匂い推定値Ｙ３に基づき、換言すると４ビット入力情報（Ｓ，Ｙ１，Ｙ２，Ｙ３）に基づき、火災Ｄ１、火災注意Ｄ２又は非火災Ｄ３を判定して出力する。
【００８５】
図６は図３の火災判定部による火災判定処理を一覧で示した説明図であり、モード１〜１６に分類され、４ビット入力情報（Ｓ，Ｙ１，Ｙ２，Ｙ３）につきビット１に対応した「有り」を〇印で示し、ビット０に対応した「無し」を×印で示している。
【００８６】
（火災判定）
図６のモード１，４の判定出力は「火災」となり、受信機１０から火災警報が出力される。
【００８７】
モード１は、
（火災発報＝有り）（物の焦げる匂い＝有り）（タバコの匂い＝有り）（調理の匂い＝有り）
であり、この場合も判定出力は「火災」となる。即ち、モード１は、火災発報があり、物の焦げる匂いが判別され、更に、タバコ及び調理の匂いも判別されていることから、この場合も間違いなく火災と判断できる。
【００８８】
モード４は
（火災発報＝有り）、（物の焦げる匂い＝有り）、
（タバコの匂い＝無し）、（調理の匂い＝無し）
であり、判定出力は「火災」となる。即ち、モード４は、火災発報があり、物の焦げる匂いが判別されていることから、間違いなく火災と判断できる。
【００８９】
（火災注意判定）
図６のモード２，３，９〜１２の判定出力は「火災注意」となり、受信機１０から火災注意警報（プリアラーム又は火災予兆警報ともいう）が出力される。火災注意とは、火災ではないが、火災になる可能性が高く、注意を要することを意味する。
【００９０】
モード２は
（火災発報＝有り）、（物の焦げる匂い＝有り）、（タバコの匂い＝有り）、
（調理の匂い＝無し）
であり、例えば、灰皿でタバコの吸い殻が燻って多量に煙が出ている状況等が想定され、火災に発展する可能性が高いことから、注意を喚起する必要がある。
【００９１】
モード３は、
（火災発報＝有り）、（物の焦げる匂い＝有り）、（調理の匂い＝有り）、
（タバコの匂い＝無し）
であり、例えば、調理中に鍋が過熱して調理物が燻って多量に煙が出ている状況等が想定され、火災に発展する可能性が高いことから、注意を喚起する必要がある。
【００９２】
モード９〜１２は、火災発報は無いが、物の焦げる匂いがあり、更に、タバコと調理の匂いの両方が検知されないか、何れか一方又は両方が検知された場合であり、前述したモード２，３の前段階に相当することから、この場合にも、判定出力を「火災注意」として、注意を喚起するようにしている。なお、モード１０〜１４は火災発報が無いことから、判定出力を「非火災」としても良い。
【００９３】
図６の残りのモード５〜８，１３〜１６の判定出力は「非火災」となる。このうちモード５〜８は火災発報はあるが、少なくとも物の焦げる匂いは無く、タバコの匂いと調理の匂いの何れか一方又は両方があっても、これは通常の喫煙による煙や調理による煙や熱と判断できることから、判定出力を「非火災」とし、受信機１０から誤って火災警報が出力される非火災報を確実に防止することができる。
【００９４】
なお、図６に示した火災判定部４２による火災発報と匂いの種別を組み合わせた火災判定は一例であり、火災注意は判定せず、火災と非火災のみの判定としても良い。
【００９５】
また、火災又は火災注意を判定した場合、受信機１０のディスプレイ２８に、火災又は火災注意の判定に利用した匂いの種別として、物の焦げる匂い、タバコの匂い、調理の匂い等を表示し、火災原因や燃焼物等が何であるかを担当者が判断できるようにしてもよい。
【００９６】
［火災監視システムの制御動作］
図１の火災監視システムによる制御動作を説明する次のようになる。いま、信号回線１２−１が引き出された監視区画Ａ１１で火災が発生したとすると、受信機１０で監視区画Ａ１１に設置した火災感知器１４の火災発報を受信し、また、監視区域Ａ１１に設置した匂い検知器１８の匂い検知値ｘ１〜ｘ１６を受信する。
【００９７】
受信機１０の匂い判定部４０は匂い検知値ｘ１〜ｘ１６を入力して物の焦げる匂いを判定し、火災判定部４２は火災発報と匂い判定部４０で判定された物の焦げる匂いに基づき火災を判定し、これを受けて監視制御部３８が火災警報を出力させる警報制御を行う。
【００９８】
一方、信号回線１２−２が引き出された監視区域Ａ２１で火災が発生したとすると、受信機１０で監視区画Ａ２１に設置した火災感知器１４の火災発報を受信し、また、監視区域Ａ２１に隣接した周辺の監視区画Ａ２２に設置した匂い検知器１８の匂い検知値ｘ１〜ｘ１６を受信する。受信機１０の周辺の監視区画Ａ２２に設置した匂い判定部４０による匂い検知値ｘ１〜ｘ１６を入力して物の焦げる匂いを判定し、火災判定部４２は監視区域Ａ２１に設置された火災感知器１４の火災発報と匂い判定部４０で判定された隣接する監視区域Ａ２２での物の焦げる匂いに基づき火災を判定し、これを受けて監視制御部３８が火災警報を出力させる警報制御を行う。
【００９９】
［匂い判定部と火災判定部を多階層ニューラルネットで構成した実施形態］
図７は匂い判定部と火災判定部を多層式のニューラルネットワークで構成した火災監視システムの機能構成を示した説明図である。
【０１００】
図７に示すように、本実施形態は、火災感知器１４からの火災発報信号Ｓと匂い検知器１８からの匂い検知値ｘ１〜ｘ１６の全てを匂い・火災判定部７０に設けた多層式ニューラルネットワーク４６に入力し、火災推定値ｙ１と非火災推定値ｙ２を出力し、火災判断部７２で火災か非火災か判定している。
【０１０１】
多階層ニューラルネットワーク４６を備えた匂い・火災判定部７０の機能構成は図３と同じであり、多階層ニューラルネットワーク４６は学習制御部５８により、入力情報である火災発報信号Ｓと匂い検知値ｘ１〜ｘ１６と出力期待値である火災、非火災を組み合わせた教師ありの学習情報を入力部５６を介して多層式ニューラルネットワーク４６に入力し、例えばバックプロパゲーション法（誤差逆伝搬法）等の学習法により多層式ニューラルネットワーク４６のウエイト（重み）とバイアスを学習させる。
【０１０２】
これにより実際に火災感知器１４からの火災発報信号Ｓと匂い検知器１８からの匂い検知値ｘ１〜ｘ１６が多層式ニューロネットワーク４６に入力されると、０〜１の範囲の値をもつ火災推定値ｙ１と非火災推定値ｙ２が出力され、火災判断部７２に設けた比較器７４，７６の基準電圧源７４ａ，７６ａにより設定した基準値１／２と比較して２値化し、火災判定値Ｙ１と非火災判定値Ｙ２として、火災判定結果（Ｙ１，Ｙ２）＝（１，０）又は非火災判定結果（Ｙ１，Ｙ２）＝（０，１）を出力するようにしている。
【０１０３】
なお、本実施形態の匂い・火災判定部７０は、図１に示した警戒区域に設置した匂い検知器１８に設けてエッジ処理を行うことはできないので、受信機１０に設けることになる。また、多層式ニューラルネットワーク４６の学習は、受信機１０では行わず、別のコンピュータ装置で学習し、学習済みの多層式ニューラルネットワーク４６を受信機１０に実装することになる。
【０１０４】
［本発明の変形例］
（火災報知設備）
上記の実施形態は、火災感知器等の端末アドレスを取得して火災発生場所を特定可能なＲ型の火災報知設備を例にとるものであったが、これに限定されず、受信機から引き出され信号回線単位に火災を検出して警報するＰ型の火災報知設備についても、回線単位に匂い検知器を設け、受信機で匂いの種別を判定することで、同様に適用できる。
【０１０５】
（その他）
また、本発明はその目的と利点を損なうことのない適宜の変形を含み、更に上記の実施形態に示した数値による限定は受けない。
【符号の説明】
【０１０６】
１０：受信機
１２−１〜１２−３：信号回線
１４：火災感知器
１６：中継器
１８：匂い検知器
２０：メインＣＰＵ
２２−１〜２２−３：サブＣＰＵ基板
２４：サブＣＰＵ
２５：シリアル転送バス
２６：伝送回路部
２８：ディスプレイ装置
３０：表示部
３２：：操作部
３４：音響警報部
３６：移報部
３８：監視制御部
４０：匂い判定部
４２：火災判定部
４６：多層式ニューラルネットワーク
４８，５０，５２，７４，７６：比較器
４８ａ，５０ａ，５２ａ，７４ａ，７６ａ：基準電圧源
５４：判断部
５６：入力部
５８：学習制御部
６０：学習情報保持部
６２：入力層
６４：全結合
６６：中間層
６８：出力層
７０：匂い・火災判定部
７２：火災判断部
【図１】
2020161072.tif 000003
【図２】
2020161072.tif 000004
【図３】
2020161072.tif 000005
【図４】
2020161072.tif 000006
【図５】
2020161072.tif 000007
【図６】
2020161072.tif 000008
【図７】
2020161072.tif 000009